(57)【特許請求の範囲】
【請求項１】
櫛状の刃部を備えた固定刃と、櫛状の刃部を備えて往復駆動される可動刃と、可動刃の往復駆動用の駆動手段を内蔵する本体と、上記固定刃もしくは可動刃を可動刃の往復動方向と直交する刃先方向にスライドさせる刈り高さ調整用のスライダーと、上記本体に対して上記スライド方向と略直交する方向に回転自在に配された操作リングとを備えて、上記操作リングと上記スライダーのいずれか一方にカム溝が設けられ、他方にカム溝内を摺動する連動ピンが設けられて、操作リングの上記回転で上記カム溝内を連動ピンが移動することで上記スライダーがスライドして刈り高さ調整がなされるバリカンであって、
上記スライダーのスライド方向と斜めに交叉する上記カム溝における対向する一対の長手縁は、共に上記スライド方向と略直交する複数のステップ部と、上記スライド方向と斜めに交叉して上記複数のステップ部間をつなぐスロープ部とを備えた階段状で、一方の長手縁のステップ部と他方の長手縁のステップ部とは略平行であり、
他方の長手縁は、上記一方の長手縁におけるステップ部に連動ピンが接する時の接線と直交する方向での一方の長手縁までの間隔が、上記一方の長手縁におけるステップ部とスロープ部との交点に連動ピンが接する時の接線と直交する方向での一方の長手縁までの間隔よりも小さく、
一方の長手縁のステップ部と、このステップ部に上記スライド方向において対向する他方の長手縁のステップ部との間に、連動ピンは小クリアランスで位置することを特徴とするバリカン。
【請求項２】
上記一方の長手縁のスロープ部と、このスロープ部に対向する他方の長手縁のスロープ部との対向間隔が、一方の長手縁のステップ部と、このステップ部に対向する他方の長手縁のステップ部との対向間隔より大であることを特徴とする請求項１記載のバリカン。
【請求項３】
上記操作リングの回転に対してクリックを発生させるクリック発生手段と、操作リングの外周面に形成された指掛かりとしての突条もしくは凹条とを備えており、上記クリック発生手段は、操作リングの刈り高さ調整のための回転範囲の少なくとも両端の位置においてクリックを発生させるものであり、上記突条もしくは凹条は、少なくとも上記両端位置において本体側に設けられた指標と合致する位置にあることを特徴とする請求項１または２記載のバリカン。
【請求項４】
上記操作リングの外周面に指掛かりとして設けられた上記突条もしくは凹条の上記スライド方向における長さは、設定された刈り高さの大小に対応していることを特徴とする請求項３記載のバリカン。
【請求項５】
刈り高さが小さく設定されたときに上記指標と合致する突条もしくは凹条の長さが短く、刈り高さが大きく設定されたときに上記指標と合致する突条もしくは凹条の長さが長いことを特徴とする請求項４記載のバリカン。
【請求項６】
上記操作リングの外周面に指掛かりとして設けられた上記突条もしくは凹条の高さは、設定された刈り高さの大小に対応していることを特徴とする請求項３または４記載のバリカン。
【請求項７】
刈り高さが小さく設定されたときに上記指標と合致する突条もしくは凹条の高さが低く、刈り高さが大きく設定されたときに上記指標と合致する突条もしくは凹条の高さが高いことを特徴とする請求項６記載のバリカン。
【発明の詳細な説明】
【技術分野】
【０００１】
本発明は、バリカン、殊に刈り高さ調整機能を備えたバリカンに関するものである。
【背景技術】
【０００２】
櫛状の固定刃と、この固定刃に対して往復駆動される櫛状の可動刃とで頭髪のカットを行う電動型のバリカンでは、刈り高さ調整用のアタッチメントを装着することで刈り高さを変更するものと、上記往復駆動方向及び刃厚方向と交叉する刃先方向に可動刃もしくは固定刃をスライドさせることで固定刃と可動刃との相対位置を変更して刈り高さを変更するものとがある。
【０００３】
前者は刈り高さの変更にアタッチメントの着脱が必要であるのに対して、固定刃がくさび型断面となっていることを利用する後者の刈り高さ調整では、手元操作だけで刈り高さを細かく調整することができるために、一般消費者用ではなく、プロ用のバリカンに主に採用されている。
【０００４】
ここにおいて、モータを内蔵する本体に操作リングを配置し、この操作リングを回転させればスライダーが前後に動いて可動刃の位置を変更して刈り高さの変更を行うものが特許文献１に示されている。また、特許文献１においては、操作リングの内周面に傾斜したカム溝を設け、上記スライダーにカム溝と係合する連動ピンを設けて、操作リングの回転でスライダーの前後動を行わせるにあたり、傾斜したカム溝の一方の長手縁を、上記前後方向と直交する方向の直線縁と、上記前後方向に対して傾いた傾斜縁とを交互につないだ階段状とすることで、刈り高さの調整機能におけるがたつきを抑制することが示されている。
【０００５】
しかし、特許文献１で示されているのは、カム溝における対向する一方の長手縁のみを階段状とし、他方の長手縁は全体として傾斜縁のみで構成されるものとしているために、連動ピン（スライダー）の前後方向の可動域を考えると、一方の長手縁にのみ上記前後方向と直交する方向の直線縁が存在することから、設定した刈り高さを保持する位置において可動域が広くなっている。このためにモータの回転や可動刃の往復動に伴う振動によって、可動刃が前後に動いて刈り高さが微妙に変化してしまうことがある。
【先行技術文献】
【特許文献】
【０００６】
【特許文献１】特許第３４１２８３４号公報
【発明の概要】
【発明が解決しようとする課題】
【０００７】
本発明はこのような点に鑑みなされたものであって、刈り高さの調整が容易であると同時に設定した刈り高さを精確に保つことができるバリカンを提供することを課題とするものである。
【課題を解決するための手段】
【０００８】
本発明は、櫛状の刃部を備えた固定刃と、櫛状の刃部を備えて往復駆動される可動刃と、可動刃の往復駆動用の駆動手段を内蔵する本体と、上記固定刃もしくは可動刃を可動刃の往復動方向と直交する刃先方向にスライドさせる刈り高さ調整用のスライダーと、上記本体に対して上記スライド方向と略直交する方向に回転自在に配された操作リングとを備えて、上記操作リングと上記スライダーのいずれか一方にカム溝が設けられ、他方にカム溝内を摺動する連動ピンが設けられて、操作リングの上記回転で上記カム溝内を連動ピンが移動することで上記スライダーがスライドして刈り高さ調整がなされるバリカンであって、上記スライダーのスライド方向と斜めに交叉する上記カム溝における対向する一対の長手縁は、共に上記スライド方向と略直交する複数のステップ部と、上記スライド方向と斜めに交叉して上記複数のステップ部間をつなぐスロープ部とを備えた階段状で、一方の長手縁のステップ部と他方の長手縁のステップ部とは略平行であり、他方の長手縁は、上記一方の長手縁におけるステップ部に連動ピンが接する時の接線と直交する方向での一方の長手縁までの間隔が、上記一方の長手縁におけるステップ部とスロープ部との交点に連動ピンが接する時の接線と直交する方向での一方の長手縁までの間隔よりも小さく、一方の長手縁のステップ部と、このステップ部に上記スライド方向において対向する他方の長手縁のステップ部との間に、連動ピンは小クリアランスで位置することに特徴を有している。
【０００９】
上記一方の長手縁のスロープ部と、このスロープ部に対向する他方の長手縁のスロープ部との対向間隔が、一方の長手縁のステップ部と、このステップ部に対向する他方の長手縁のステップ部との対向間隔より大であるものを好適に用いることができる。
【００１０】
上記操作リングの回転に対してクリックを発生させるクリック発生手段と、操作リングの外周面に形成された指掛かりとしての突条もしくは凹条とを備え、上記クリック発生手段は、操作リングの刈り高さ調整のための回転範囲の少なくとも両端の位置においてクリックを発生させるものであり、上記突条もしくは凹条は、少なくとも上記両端位置において本体側に設けられた指標と合致する位置にあることが好ましい。
【００１１】
そして、上記操作リングの外周面に指掛かりとして設けられた上記突条もしくは凹条の上記スライド方向における長さは、設定された刈り高さの大小に対応していること、殊に刈り高さが小さく設定されたときに上記指標と合致する突条もしくは凹条の長さが短く、刈り高さが大きく設定されたときに上記指標と合致する突条もしくは凹条の長さが長いことが好ましい。
【００１２】
上記操作リングの外周面に指掛かりとして設けられた上記突条もしくは凹条の高さが、設定された刈り高さの大小に対応していてもよく、この場合、刈り高さが小さく設定されたときに上記指標と合致する突条もしくは凹条の高さが低く、刈り高さが大きく設定されたときに上記指標と合致する突条もしくは凹条の高さが高いことが好ましい。
【発明の効果】
【００１３】
本発明においては、操作リングを回転させることによって刈り高さを容易に変更することができるものであり、しかも操作リングとスライダーのいずれか一方に設けたカム溝の対向する対の長手縁の一方を階段状とし、他方の長手縁は一方の長手縁のステップ部と対向する部分での間隔が短くなるようにしているために、設定した刈り高さを保持する位置における連動ピンの可動域が小さく、従って設定した刈り高さを精確に保持することができる。
【図面の簡単な説明】
【００１４】
【図１】本発明の実施の形態の一例における操作リングとスライダーの正面図である。
【図２】同上の斜視図である。
【図３】同上の刃ブロックの斜視図である。
【図４】(a)(b)は同上の刃ブロックの断面図である。
【図５】同上の本体の斜視図である。
【図６】同上の本体と刃ブロックの斜視図である。
【図７】同上の操作リングの断面を展開した図である。
【図８】同上の操作リングの端面図である。
【図９】同上の他例の部分正面図である。
【発明を実施するための形態】
【００１５】
以下本発明を図示の実施例に基づいて詳述すると、図示例のバリカンは、図２に示すように、モータ（図示せず）を内蔵するとともに外周面に操作リング４が配されている本体１と、本体１の先端側に着脱自在に被せられるヘッド部３とからなるもので、ヘッド部３は刃ブロック２を備えている。図中１０は電源スイッチである。
【００１６】
刃ブロック２は、図３に示すように、基板２０の内面に固定された固定刃２１と、この固定刃２１に対して摺動自在とされた可動刃２２とを備えている。固定刃２１及び可動刃２２は、その先端縁が櫛状の刃部となっており、また、上記可動刃２２には案内カム２３が取り付けられている。この案内カム２３は、本体１内の上記モータの出力軸に固定された図５及び図６に示す偏心軸１２と係合する縦溝２４を備えており、この係合により、上記モータの回転に伴って可動刃２２が往復動を行う。
【００１７】
また、基板２０にはレバー２６が回動自在に取り付けられている。軸２７によって基板２０に対して回動自在となっているレバー２６は、一端を基板２０に係止するとともに他端を案内カム２３に連結したねじりコイルばね２５のコイル部を保持している。可動刃２２を固定刃２１に向けて付勢するねじりコイルばね２５は、レバー２６が回動する時、固定刃２１に対して可動刃２２をその往復動方向及び可動刃２２の厚み方向と直交する方向にスライドさせる。
【００１８】
固定刃２１はその刃部が楔型の断面形状を有しているために、可動刃２２が上記スライド動作を行う時、固定刃２１の先端寄りにスライドすると、図４(a)に示すように、刈り高さｈを小さくし、固定刃２１の先端から遠ざかる方向にスライドすると、刈り高さｈを大きくする。
【００１９】
一方、本体１内には、前記操作リング４の回動操作によって前後に移動するスライダー５が配されている。このスライダー５は本体１の先端面から突出するアーム５０，５０を備えている。そして上記ねじりコイルばね２５によって図４(b)に示す矢印方向に付勢されたレバー２６に上記アーム５０の先端が接触しており、このためにスライダー５の前後動によって上述の刈り高さｈの調節がなされる。なお、ねじりコイルばね２５によるレバー２６の上記付勢と対抗するばね力をスライダー５の前進に与えるばねを設けておくことが好ましい。刈り高さｈを小さくする方向と刈り高さｈを大きくする方向の両操作の操作力を等しくすることができるためである。
【００２０】
次に操作リング４の回転でスライダー５を前後動させる構成について説明すると、本体１内に前後にスライド自在に配されたスライダー５は、図５に示すように、本体１外面に設けた窓１２内をスライドする突部５３と、この突部５３から外部に突出する連動ピン５２とを備えている。そして本体１の外周に周方向への回転が自在に配された操作リング４は、その内周面に上記連動ピン５２が係合するカム溝４０を備えている。このカム溝４０は、円筒状の操作リング４の軸方向（上記スライド方向）に対して傾いているために、操作リング４をその軸回りに回転させる操作に伴ってスライダー５が前後動を行う。
【００２１】
ここにおいて、カム溝４０の上記軸方向に位置する一対の長手縁４１，４１が、共に階段状のものとなっている。すなわち、図１及び図７に示すように、上記長手縁４１，４１は操作リング４の上記軸方向（スライダー５のスライド方向）とほぼ直交するステップ部４３と、上記軸方向において異なる位置に設けられた複数（図示例では５つ）の上記ステップ部４３を順次つないでいる複数のスロープ部４４とを備えたものとなっている。
【００２２】
そして、断面が円形（もしくは楕円形あるいは多角形）となっている連動ピン５２は、カム溝４０における一方の長手縁４１におけるいずれかのステップ部４３と、該ステップ部４３と軸方向において対向する位置にある他方の長手縁４１のステップ部４３との間に位置する時、刈り高さｈを設定状態に保持し、対の長手縁４１，４１におけるスロープ部４４，４４間を通過して他の対向するステップ部４３，４３間に移動することで他の刈り高さｈの設定状態に移行する。
【００２３】
刈り高さｈの設定状態においては、軸方向において対向するステップ部４３，４３間に連動ピン５２が挟まれた状態にあるために、両長手縁４１，４１のうちの一方のみが階段状とされ、他方の長手縁４１が軸方向（スライダー５のスライド方向）に対して傾いたスロープ部４４のみで形成された前記従来例と比して、スライダー５のスライド方向におけるクリアランスをきわめて小さくすることができるものであり、このために設定した刈り高さｈを精確に保持することができる。
【００２４】
なお、連動ピン５２がカム溝４０内を移動することを許すとともに、刈り高さｈの保持位置でのがたつきを最小に抑えるために、連動ピン５２が一方の長手縁４１におけるステップ部４３とスロープ部４４との外隅交点に接している時の接線と直交する方向における対向する長手縁４１，４１間の間隔Ｗｃを、対向するステップ部４３，４３間の上記軸方向の間隔Ｗａよりも大きくしている。対向するスロープ部４４，４４間の対向間隔Ｗｂ（連動ピン５２と一方の長手縁４１のスロープ部４４との接触点における接線と直交する方向での間隔）は、上記間隔Ｗａと同じでもよいが、間隔Ｗａよりも少し大きいほうが刈り高さｈの変更がスムーズになる。つまり、連動ピン５２とカム溝４０の内壁（長手縁４１）との間のクリアランスは、刈り高さｈの変更途中の状態よりも刈り高さｈの保持位置において小さくなるようにしておくことが好ましい。
【００２５】
本実施例においては、設定した刈り高さｈの保持をより確実にするために、刈り高さｈの設定位置（連動ピン５２がステップ部４３，４３間に位置する時）に、クリックを発生させるクリック手段を設けている。このクリック手段は、本体１外周の操作リング４で覆われる部分に配されてばね付勢により外方に突出するクリック突起（図示せず）と、操作リング４の内周面に周方向に間隔を置いて複数（図示例では５つ）形成された図８に示すクリック凹部４５とからなり、刈り高さｈの設定位置に操作リング４がある時、クリック突起はいずれかのクリック凹部４５にばね付勢を受けて嵌り込むことで、操作リング４の位置決めを行う。
【００２６】
なお、クリック手段によるクリックは、刈り高さｈの調整範囲を明確にするために、刈り高さｈを最も小さくした状態と、最も大きくした状態との２つの状態でのみ生じるものとしてもよい。カム溝４０の対向するステップ部４２，４２間に連動ピン５２が位置することで刈り高さｈの設定保持が十分になされることから、途中のクリックがなくとも不用意に刈り高さｈの設定が変更されてしまうことがないためである。
【００２７】
操作リング４の外周面には、操作リング４の軸方向に長い突条４６を周方向に間隔をあけて複数設けている。操作リング４の回転操作の際の指のかかりを良くするために設けた突条４６を、刈り高さｈの設定保持位置に合わせた間隔で形成しておき、ヘッド部３に設けた指標３０と合致する位置に突条４６が位置する時、刈り高さｈの設定保持位置に操作リング４が位置するようにしておくことが好ましい。
【００２８】
図９はこの場合の一例を示している。特に本例においては、突条４６の上記軸方向長さを刈り高さｈに合わせた長さとしている。つまり、刈り高さｈが小さい位置では指標３０と合致する突条４６の長さを短くし、刈り高さｈが大きい位置では指標３０と合致する突条４６の長さを長くしている。刈り高さｈの設定状態が指掛かりである突条４６の長さで判別することができる。なお、刈り高さｈの設定可変範囲にある突条４６は、他の領域にある突条４６よりも短いが、これは設定された刈り高さｈの数値表示のためのスペースを操作リング４の外周面に確保するためである。
【００２９】
突条４６の長さを刈り高さｈの大小に合わせるのではなく、突条４６の高さ（凹条の場合は深さ）を刈り高さｈの大小に合わせてもよい。刈り高さｈを小さくした時に指標３０と合致する突条４６の高さを低くし、刈り高さｈを大きくするに従って指標３０と合致する突条４６の高さを大きくするのである。
【００３０】
そして、刈り高さｈの調整のために操作リング４を回転させることができる範囲が突条４６の長さの違いで明確になっているものにおいては、隣り合う突条４６，４６間の間隔は、刈り高さｈの設定保持位置の間隔に合わせていなくてもよい。また、操作リング４の外周面に設ける指掛かりは、図示例のような突条４６ではなく、凹条（溝）として設けたものであってもよい。
【００３１】
上記の実施例においては、スライダー５側に連動ピン５２を設け、操作リング４側にカム溝４０を設けているが、スライダー５側にカム溝４０を設け、操作リング４側に連動ピン５２を設けたものであってもよい。また、カム溝４０におけるステップ部４３は、必ずしも直線縁である必要はなく、曲線で構成されたものであってもよい。
【００３２】
さらに、ここでは可動刃２２をその往復動方向と直交する方向にスライドさせることで刈り高さｈの変更を行うものを示したが、刃ブロック２における基板２０に対して固定刃２１をスライド自在に配置し、上記スライダー５のアーム５０を固定刃２１に連結して、固定刃２１をスライドさせることによって刈り高さｈの変更を行うものであってもよい。
【符号の説明】
【００３３】
１  本体
２  刃ブロック
３  ヘッド部
４  操作リング
５  スライダー
２１  固定刃
２２  可動刃
４０  カム溝
４１  長手縁
４３  ステップ部
４４  スロープ部
５２  連動ピン
【図１】
0005799223.tif 000002
【図２】
0005799223.tif 000003
【図３】
0005799223.tif 000004
【図４】
0005799223.tif 000005
【図５】
0005799223.tif 000006
【図６】
0005799223.tif 000007
【図７】
0005799223.tif 000008
【図８】
0005799223.tif 000009
【図９】
0005799223.tif 000010